(57)【特許請求の範囲】
【請求項１】
画像を表示する表示部と、
前記表示部の表示輝度を調整する制御部と、
前記表示部の周囲の明るさである照度値を前記制御部に出力する照度センサと、
前記表示部に対して位置する被写体を撮像した画像を前記制御部に出力する撮像部と、
を具備し、
前記制御部は、
前記被写体を撮像した画像に基づいて前記被写体の前記表示部に対する位置を特定し、
前記位置に基づいて前記照度センサに前記被写体の影がかかるか否かを判断し、
前記判断の結果に応じて前記照度値に基づいて前記表示輝度を調整する、
ことを特徴とする表示装置。
【請求項２】
前記制御部は、
前記画像に基づいて前記表示部と前記被写体との距離及び／又は前記表示部と前記被写体との重力方向に対する位置関係を求め、
前記距離及び／又は前記位置関係に基づいて、前記照度センサに前記被写体の前記影が入るか否かを判断する、
ことを特徴とする請求項１に記載の表示装置。
【請求項３】
前記制御部は、前記照度センサに前記被写体の前記影がかかると判断した場合に、前記照度値を用いた前記表示部の前記表示輝度の調整を行わない、
ことを特徴とする請求項１に記載の表示装置。
【請求項４】
前記制御部は、前記照度センサに前記被写体の前記影がかかると判断した場合に、前記照度値を前記影の分だけ補正した補正照度値を求め、当該補正照度値を用いて前記表示部の前記表示輝度を調整する、
ことを特徴とする請求項１に記載の表示装置。
【請求項５】
前記被写体は人物であることを特徴とする請求項１乃至４の何れかに記載の表示装置。
【請求項６】
前記制御部は、前記画像に基づいて前記人物の顔を検出し、前記画像に対する当該顔の比率が第１の閾値よりも大きい場合に前記照度センサに対する当該顔の位置を特定する、
ことを特徴とする請求項５に記載の表示装置。
【請求項７】
前記制御部は、前記第１の閾値よりも大きい第２の閾値に対して、前記顔の前記比率が前記第１の閾値よりも大きく且つ当該第２の閾値よりも大きいときに前記照度センサに前記人物の前記影がかかると判断する、
ことを特徴とする請求項６に記載の表示装置。
【請求項８】
前記制御部は、前記第１の閾値よりも大きい第２の閾値に対して、前記顔の前記比率が前記第１の閾値よりも大きく且つ当該第２の閾値以下のときに、前記顔の位置が前記画像の一定の位置よりも上側であれば前記照度センサに前記人物の前記影がかかると判断する、
ことを特徴とする請求項６に記載の表示装置。
【請求項９】
画像を表示する表示部と、
前記表示部の表示輝度を調整する制御部と、
前記表示部の周囲の明るさである照度値を前記制御部に出力する照度センサと、
前記表示部に対して前記表示部を観察する側に存在する物体の移動量を表す移動信号を前記制御部に出力する赤外線センサと、
を具備し、
前記制御部は、
前記移動信号に基づいて前記物体の前記表示部に対する位置を特定し、
前記位置に基づいて前記照度センサに前記物体の影がかかるか否かを判断し、
前記判断の結果に応じて前記照度値に基づいて前記表示輝度を調整する、
ことを特徴とする表示装置。
【請求項１０】
前記制御部は、
前記移動信号に基づいて、前記表示部と前記物体との位置関係が所定の値よりも大きく変化しているか否かを表す変化情報と、前記物体と前記表示部との距離が所定の距離よりも近いか否かを表す距離情報と、を求め、
前記変化情報と前記距離情報とに基づいて前記照度センサに前記物体の前記影がかかるか否かを判断する、
ことを特徴とする請求項９に記載の表示装置。
【請求項１１】
前記制御部は、前記照度センサに前記物体の前記影がかかると判断した場合に、前記表示輝度を変更させないことを特徴とする請求項９に記載の表示装置。
【請求項１２】
前記制御部は、前記照度センサに前記物体の前記影がかかると判断した場合に、前記照度値を前記影の分だけ補正した補正照度値を求め、当該補正照度値を用いて前記表示輝度を調整することを特徴とする請求項９に記載の表示装置。
【請求項１３】
前記物体は人物であることを特徴とする請求項９乃至１２の何れかに記載の表示装置。
【請求項１４】
前記赤外線センサは前記人物の温度に依存する電圧を出力し、前記制御部は当該電圧の時間変化量に基づいて前記照度センサに対する前記人物の位置を特定する、
ことを特徴とする請求項１３に記載の表示装置。
【請求項１５】
前記制御部は、前記電圧の前記時間変化量が第３の閾値よりも大きい場合に前記照度センサに前記人物の影がかかると判断する、
ことを特徴とする請求項１４に記載の表示装置。
【請求項１６】
前記制御部は、前記電圧の前記時間変化量が第３の閾値以下の場合に、当該第３の閾値よりも小さい第４の閾値に対して、前記電圧の前記時間変化量が当該第４の閾値よりも大きければ、前記照度センサに前記人物の影がかかると判断する、
ことを特徴とする請求項１４に記載の表示装置。
【発明の詳細な説明】
【技術分野】
【０００１】
本発明は表示装置に関する。
【背景技術】
【０００２】
一般にデジタルフォトフレームやテレビ等の表示装置において、見やすさのため環境に合わせて表示を変更する技術が知られている。例えば液晶ディスプレイを利用した表示装置の場合、例えば照度センサを利用して当該表示装置の設置環境の明るさの測定を行い、測定された明るさに応じて液晶ディスプレイのバックライトの輝度制御を行う技術が知られている。例えば特許文献１には、天候と周囲環境の明るさと観察位置とによって、バックライトの明るさや入力映像の画質を補正する表示装置に係る技術が開示されている。
【先行技術文献】
【特許文献】
【０００３】
【特許文献１】特開２００７−０４３５３３号公報
【発明の概要】
【発明が解決しようとする課題】
【０００４】
上記のような表示装置のうちで照度センサを有する表示装置においては、当該照度センサの位置に応じて次のような課題がある。
【０００５】
表示装置の表示面の裏面側に照度センサを配置した場合、例えば当該表示装置が出窓に設置されると、表示面が向いている部屋の中が比較的暗くても出窓から入射する光によって周囲は明るいと当該表示装置は誤判断することがある。また例えば当該表示装置が棚の中に設置されると、表示面が向いている部屋の中が比較的明るくても棚の中が暗いため周囲は暗いと当該表示装置は誤判断することがある。
【０００６】
また表示装置の表示面側に照度センサを配置した場合、当該表示装置は例えば部屋の中の明るさを正確に判断しやすい。その反面、観察者が近寄って覗き込むように当該表示装置を観察する場合、当該表示装置がその観察者の影に入ってしまい部屋が暗くなったと当該表示装置は誤判断することがある。
【０００７】
そこで本発明は周囲の明るさによって表示を調整する誤判断が少ない表示装置を提供することを目的とする。
【課題を解決するための手段】
【０００８】
前記目的を果たすため、本発明の表示装置の一態様は、画像を表示する表示部と、前記表示部の表示輝度を調整する制御部と、前記表示部の周囲の明るさである照度値を前記制御部に出力する照度センサと、前記表示部に対して位置する被写体を撮像した前記画像を前記制御部に出力する撮像部と、を具備し、前記制御部は、前記被写体を撮像した画像に基づいて前記画像に写る被写体の前記表示部に対する位置を特定し、前記位置に基づいて前記照度センサに前記被写体の影がかかるか否かを判断し、前記判断の結果に応じて前記照度値に基づいて前記表示輝度を調整する、ことを特徴とする。
また、前記目的を果たすため、本発明の表示装置の一態様は、画像を表示する表示部と、前記表示部の表示輝度を調整する制御部と、前記表示部の周囲の明るさである照度値を前記制御部に出力する照度センサと、前記表示部に対して前記表示部を観察する側に存在する物体の移動量を表す移動信号を前記制御部に出力する赤外線センサと、を具備し、前記制御部は、前記移動信号に基づいて前記物体の前記表示部に対する位置を特定し、前記位置に基づいて前記照度センサに前記物体の影がかかるか否かを判断し、前記判断の結果に応じて前記照度値に基づいて前記表示輝度を調整する、ことを特徴とする。
【発明の効果】
【０００９】
本発明によれば周囲の明るさによって表示を調整する誤判断が少ない表示装置を提供できる。
【図面の簡単な説明】
【００１０】
【図１】本発明の各実施形態に係る画像表示装置の構成例を示すブロック図。
【図２】第１の実施形態に係る画像処理装置の動作例を示すフローチャート。
【図３】第１の実施形態の撮像部が取得する画像の例を説明するための図。
【図４】第２の実施形態に係る画像処理装置の動作例を示すフローチャート。
【発明を実施するための形態】
【００１１】
［第１の実施形態］
まず本発明の第１の実施形態について図面を参照して説明する。本実施形態に係るデジタルフォトフレーム１００の構成例を図１に示す。デジタルフォトフレーム１００は、メインＣＰＵ１０２と、ＤＲＡＭ等からなるＲＡＭ１０４と、ＲＯＭ１０６と、例えば液晶ディスプレイである表示部１０８と、外部メモリＩ／Ｆ１１０と、無線ＬＡＮデバイス１１２と、撮像部１１４と、メモリが内蔵されたワンチップマイコンのサブＣＰＵ１１６と、入力部１１８と、ＬＥＤ１２０と、照度センサ１２２と、例えば焦電型赤外線センサによる人感センサ１２４と、縦横センサ１２６と、電源１２８と、バス１３０と、を備える。
【００１２】
ＲＯＭ１０６と外部メモリＩ／Ｆ１１０と無線ＬＡＮデバイス１１２とはバス１３０を介してメインＣＰＵ１０２に接続されている。またＲＡＭ１０４と表示部１０８と撮像部１１４とはそれぞれメインＣＰＵ１０２に接続されている。
【００１３】
メインＣＰＵ１０２とサブＣＰＵ１１６とは例えばシリアル通信で接続されている。入力部１１８とＬＥＤ１２０と照度センサ１２２と人感センサ１２４と縦横センサ１２６とはそれぞれサブＣＰＵ１１６に接続されている。電源１２８は各部に接続して電源を供給する。
【００１４】
メインＣＰＵ１０２は各種演算を行いデジタルフォトフレーム１００全体の動作を制御する。ＲＡＭ１０４はメインＣＰＵ１０２による演算のため各種データを一時記憶したり画像データを展開したりするためのメモリである。ＲＯＭ１０６は例えばデジタルフォトフレーム１００の制御プログラム等が保存されており、これらプログラム等はメインＣＰＵ１０２の要求に応じて適宜メインＣＰＵ１０２に出力される。
【００１５】
表示部１０８は例えば液晶ディスプレイである。表示部１０８はメインＣＰＵ１０２の制御の下で種々の画像を表示するとともに表示部１０８に表示させる画像の輝度を変化させる。表示部１０８が液晶ディスプレイであればバックライトの出力を変化させることで表示部１０８に表示される画像の輝度を変化させることができる。表示部１０８は液晶ディスプレイに限らず有機ＥＬディスプレイやプラズマディスプレイでもよい。本実施形態においては表示部１０８は液晶ディスプレイであるとして以下の説明を行う。他のディスプレイを用いる場合も輝度の調整方法は異なるが輝度を調整することは同じである。
【００１６】
外部メモリＩ／Ｆ１１０は例えばデジタルフォトフレーム１００への画像の入出力を行う際に用いる外部メモリを接続するためのインタフェースである。無線ＬＡＮデバイス１１２はデジタルフォトフレーム１００をネットワークと接続させ、ネットワーク上の機器とデータの交換を行う際に用いられるデバイスである。
【００１７】
撮像部１１４は例えば撮像素子とレンズとを有しており画像を撮影する。撮像部１１４はデジタルフォトフレーム１００の表示部１０８が備えられている表示面側（以降、正面側と称する）に備えられている。撮像部１１４はデジタルフォトフレーム１００から正面側を例えばＶＧＡの解像度で３０ｆｐｓにて撮像することができる。撮影データはメインＣＰＵ１０２に出力される。メインＣＰＵ１０２はこの撮影データに基づいて画像処理を行って人の検知を行うことができる。
【００１８】
サブＣＰＵ１１６は、入力部１１８を介したユーザによる操作の受け付け、照度センサ１２２、人感センサ１２４、縦横センサ１２６等の各種センサの管理、電源１２８の管理等を行っている。入力部１１８は、スイッチ、スライダ、キーボード、タッチパネル等であり、ユーザの操作を取得する。入力部１１８はユーザの操作を表す信号をサブＣＰＵ１１６に出力する。ＬＥＤ１２０はサブＣＰＵ１１６の制御の下でユーザに各種情報を提示する。例えば電源のＯＮ／ＯＦＦ等のデジタルフォトフレーム１００の状態を表示する。
【００１９】
照度センサ１２２は環境の明るさに合わせた電圧値をサブＣＰＵ１１６に出力する。照度センサ１２２は置き場所による影響を受けにくくするためにデジタルフォトフレーム１００の正面側に設置されている。サブＣＰＵ１１６は照度センサ１２２から入力されたデータに基づいて、サブＣＰＵ１１６内のＡＤ変換器で明るさを示す値に変換し、そのデジタル値をメインＣＰＵ１０２に出力する。メインＣＰＵ１０２は入力された環境照度に応じた値に基づいて表示部１０８の表示輝度を調整する。照度センサ１２２は環境の明るさに合わせた電流値をサブＣＰＵ１１６に出力するようにしてもよい。
【００２０】
人感センサ１２４は例えば焦電型赤外線センサによって構成される。人感センサ１２４はデジタルフォトフレーム１００の正面側に設置されている。人感センサ１２４はデジタルフォトフレーム１００に対して正面側の温度時間変化を取得する。人感センサ１２４は取得した温度時間変化を例えばアナログ値としてサブＣＰＵ１１６に出力する。サブＣＰＵ１１６は人感センサ１２４から入力されたデータに基づいて、サブＣＰＵ１１６内のＡＤ変換器でデジタル値に変換してメインＣＰＵ１０２に出力する。メインＣＰＵ１０２は温度時間変化値が設定された閾値を超える又は下回るといった比較によって人の有無を判定する。またこの閾値を変える事で人感センサ１２４の感度調節を行うことができる。
【００２１】
縦横センサ１２６はデジタルフォトフレーム１００の設置向きが縦横の何れであるかを検出する。縦横センサ１２６は検出した傾斜方向をデジタル値としてサブＣＰＵ１１６に出力する。
【００２２】
このように、例えば表示部１０８は画像を表示する表示部として機能し、例えばメインＣＰＵ１０２は前記表示部の表示輝度を調整する制御部として機能し、例えば照度センサ１２２は表示部の周囲の明るさである照度値を制御部に出力する照度センサとして機能し、例えば撮像部１１４は表示部に対して表示部を観察する側を撮像した画像を制御部に出力する撮像部として機能する。
【００２３】
次にデジタルフォトフレーム１００の動作を説明する。ユーザが電源を投入するように入力部１１８を操作すると、入力部１１８から出力されたユーザの指示を表す信号はサブＣＰＵ１１６に入力される。サブＣＰＵ１１６は電源１２８を起動させて電源１２８に各部に電源を供給させる。
【００２４】
電源が供給されたメインＣＰＵ１０２はＲＯＭ１０６に内蔵された制御プログラムをＲＡＭ１０４上に展開して制御プログラムを実行する。メインＣＰＵ１０２は外部メモリＩ／Ｆ１１０に接続された外部メモリ内の画像、又は無線ＬＡＮデバイス１１２を介してネットワークから入手した画像、をＲＡＭ１０４上に展開する。メインＣＰＵ１０２はこれら画像を表示部１０８に出力して表示部１０８にこれらの画像を表示させる。
【００２５】
一般に周囲の明るさ即ち環境照度に基づいて、デジタルフォトフレームの表示輝度を調整する技術が知られている。液晶ディスプレイを用いている場合、表示輝度はバックライトの輝度で調整することができる。例えば暗い環境においてはバックライトの輝度を低くし、明るい環境においてはバックライトの輝度を高くすることで、見やすい表示を実現する。
【００２６】
このような一般的な液晶ディスプレイに用いられているバックライト輝度の制御について説明する。液晶ディスプレイのバックライト輝度はＰＷＭ（Ｐｕｌｓｅ  Ｗｉｄｔｈ  Ｍｏｄｕｌａｔｉｏｎ）によって制御されている。サブＣＰＵ１１６は照度センサ１２２の出力をＡＤ変換して得られた値を環境照度としてメインＣＰＵ１０２に通知する。メインＣＰＵ１０２は入力された環境照度を変換テーブルと照合することで、対応する液晶ディスプレイのバックライトのＰＷＭ値を取得する。得られたＰＷＭ値を用いて、メインＣＰＵ１０２は表示部１０８のバックライトの輝度制御を行う。以上のような制御を行うことで、照度センサ１２２が検知した照度に応じて表示部１０８の表示輝度が調整される。
【００２７】
本実施形態に係るデジタルフォトフレーム１００においても、離れた場所に人が居ると判断されるときは上記の動作に従ってバックライトの輝度を調整している。
【００２８】
撮像部１１４を利用した人検出動作に基づく、デジタルフォトフレーム１００におけるバックライト輝度の制御について、図２に示すフローチャートを参照して説明する。この制御では例えば人物がデジタルフォトフレーム１００を覗き込んだときなどを考慮した制御である。即ち当該人物の影のために照度センサ１２２の出力が暗いことを表す信号となることに起因して、必要以上に表示部１０８の表示輝度が変化させられることを防止する。
【００２９】
ステップＳ１０１において、メインＣＰＵ１０２は撮像部１１４に撮像を実行させて撮像により得られた画像データを取得する。  
ステップＳ１０２において、メインＣＰＵ１０２は取得した画像データに基づいて当該画像中の顔を検出する。顔の検出には例えばテンプレートマッチングの手法を用いることができる。
【００３０】
ステップＳ１０３において、メインＣＰＵ１０２は前フレームにおける処理で検出された顔の位置と、本フレームのステップＳ１０２で検出された顔の位置と、を比較して移動方向を検出する。顔の位置は例えば顔の上下方向の上端位置として求めることができる。
【００３１】
ステップＳ１０４において、メインＣＰＵ１０２は検出された顔のうちで画像に対する顔の比率が第１の閾値よりも大きい顔について、その比率と位置と移動方向とを取得する。
【００３２】
顔の比率は例えば観察者の顔のピクセル数を算出して画像の総ピクセル数との比をとることで、面積比率として求めることができる。また顔の比率は例えば観察者の顔の上下方向の長さと画像の上下方向の長さとの比をとることで、上下方向の長さ比率として求めることができる。また顔の比率は例えば観察者の顔の左右方向の長さと画像の左右方向の長さとの比をとることで、左右方向の長さ比率として求めることができる。
【００３３】
ステップＳ１０５において、メインＣＰＵ１０２は検出された顔の比率が第２の閾値よりも大きいか否か、即ちその人物が一定の距離よりも近くにいるか否かを判定する。ここで、第２の閾値は第１の閾値よりも大きいものとする。例えば一番近くにいる観察者の顔の比率から簡易的にその人物（観察者）とデジタルフォトフレーム１００との距離を推定できる。
【００３４】
顔の比率が第２の閾値よりも大きいとき、即ちその人物とデジタルフォトフレーム１００との距離が一定の値よりも近いときは、メインＣＰＵ１０２は処理を終了する。即ちバックライトの輝度について調整を行わずに引き続き同じ輝度とする。  
一方、ステップＳ１０５の判定で顔の比率が第２の閾値以下であり、その人物が一定の距離以上デジタルフォトフレーム１００から離れているときは、メインＣＰＵ１０２は処理をステップＳ１０６に進める。
【００３５】
なおステップＳ１０５の判定において顔の移動方向を考慮に入れてもよい。例えば人物がデジタルフォトフレーム１００の表示面の中心側に近づくように移動しているときは処理を中止するが、遠ざかるように移動しているときは処理をステップＳ１０６に進めるような条件を加重してもよい。
【００３６】
ステップＳ１０６において、メインＣＰＵ１０２は画像における顔の位置が一定の位置よりも上側であるか否かを判定する。即ちメインＣＰＵ１０２は顔の位置の重力方向に対する位置関係を判定する。例えば画像の下側から３分の２の水平線を設定し、顔の上端位置がこの水平線よりも上側であるか否かで判定するように設定できる。顔の位置が一定の位置よりも上側にあれば、メインＣＰＵ１０２は処理を終了する。即ちバックライトの輝度について調整を行わずに引き続き同じ輝度とする。一方、ステップＳ１０６の判定で顔の位置が一定の位置以上に下側にあれば、メインＣＰＵ１０２は処理をステップＳ１０７に進める。
【００３７】
なおステップＳ１０６の判定において顔の移動方向を考慮に入れてもよい。例えば人物が画像の上方向に移動しているときは処理を中止するが、下方向に移動しているときは処理をステップＳ１０７に進めるような条件を加重してもよい。
【００３８】
以上のような経過でステップＳ１０７に進む場合は、人物が遠くにいる又は人物が近くにいるがデジタルフォトフレーム１００に比べて比較的低い位置にいる場合である。即ちデジタルフォトフレーム１００に人物の影がかからないと考えられる場合である。このとき照度センサ１２２の出力は人物の影の影響を受けず信頼できる値となっていると考えられる。そこで以降の処理では照度センサ１２２の出力値に基づいてバックライトの輝度の調整を行う。
【００３９】
ステップＳ１０７において、メインＣＰＵ１０２は照度センサ１２２に照度の検出を実行させる。メインＣＰＵ１０２は上述の通りサブＣＰＵ１１６を介して環境照度に係る情報を照度センサ１２２から取得する。
【００４０】
なお照度センサ１２２の測定値が真っ暗に近い一定の値よりも暗い値を示した場合には、部屋が消灯された場合に実施する動作、例えば表示部１０８の表示を消す動作を行うようにしてもよい。これは人の影がかかる程度では真っ暗な状況にはなり難いため、照度センサ１２２の測定値が一定の値よりも暗い値を示した場合には室内の電灯が消されたとみなせるからである。
【００４１】
ステップＳ１０８において、メインＣＰＵ１０２はステップＳ１０７において取得した環境照度に基づいてバックライトのＰＷＭ値を算出する。  
ステップＳ１０９において、メインＣＰＵ１０２はステップＳ１０８において算出したＰＷＭ値に基づいて表示部１０８のバックライトの輝度を変更させる。その後メインＣＰＵ１０２は処理を終了する。  
メインＣＰＵ１０２は上記のステップＳ１０１乃至ステップＳ１０９の処理を繰り返し連続的に実施する。
【００４２】
この動作によれば、例えば図３（ａ）に示すように人物がデジタルフォトフレーム１００から離れた位置にいるときは、当該人物の影は照度センサ１２２を覆わないと考えられる。このような場合ステップＳ１０４において、人物の顔の比率は第１の閾値以下と判定され第１の閾値よりも大きい比率の顔はないとされる。即ち顔の位置や比率等は取得されない。このときステップＳ１０５の判定では顔の比率は取得されていないので、顔の比率は第２の閾値以下であるとして処理はステップＳ１０６に進む。さらにステップＳ１０６の判定では顔の位置は取得されていないので、顔の位置は一定の位置よりも上側でないとして処理はステップＳ１０７に進む。その結果ステップＳ１０７乃至ステップＳ１０９において、メインＣＰＵ１０２は通常のバックライト制御と同様の処理を実行して必要に応じてバックライトの輝度を変化させる。
【００４３】
一方、例えば図３（ｂ）に示すように人物がデジタルフォトフレーム１００の非常に近くにいるとき、当該人物の影は照度センサ１２２を覆うと考えられる。このとき照度センサ１２２が出力する値は環境照度を適切に表していないと考えられる。このような場合ステップＳ１０５において、顔の比率が第２の閾値よりも大きいと判定されて処理が終了される。即ちステップＳ１０７乃至ステップＳ１０９において、実施されるバックライトの輝度調整が実施されないことになる。その結果、表示部１０８のバックライトの輝度は変化しない。
【００４４】
また例えば図３（ｃ）に示すように人物がデジタルフォトフレーム１００の比較的近くにおり、さらに人物がデジタルフォトフレーム１００を高い位置から見ているとき、当該人物の影が照度センサ１２２を覆うと考えられる。このときも照度センサ１２２が出力する値は環境照度を適切に表していないと考えられる。このような場合ステップＳ１０４において当該顔の比率と位置等とが取得され、ステップＳ１０５では第２の閾値以下であると判定されるが、ステップＳ１０６において顔の位置が一定の位置よりも上側にあると判定されて処理が終了される。即ちステップＳ１０７乃至ステップＳ１０９において実施されるバックライトの輝度調整が実施されないことになる。その結果、表示部１０８のバックライトの輝度は変化しない。
【００４５】
一方、例えば図３（ｄ）に示すように人物がデジタルフォトフレーム１００の比較的近くにおり、さらに人物がデジタルフォトフレーム１００を低い位置から見ているとき、当該人物の影は照度センサ１２２を覆わないと考えられる。このとき照度センサ１２２の出力は人物の影の影響を受けず信頼できる値となっていると考えられる。このような場合ステップＳ１０４において当該顔の比率と位置等とが取得されるが、ステップＳ１０５では第２の閾値以下であると判定されステップＳ１０６では顔の位置が一定の位置よりも下側にあると判定されて処理はステップＳ１０７に進む。従ってステップＳ１０７乃至ステップＳ１０９において、メインＣＰＵ１０２は通常のバックライト制御と同様の処理を実行して必要に応じてバックライトの輝度を変化させる。
【００４６】
本実施形態によれば撮像部１１４で取得された画像に基づいて、デジタルフォトフレーム１００が人物の影に入っているか否か、即ち照度センサ１２２の出力に基づいて表示輝度を調整することが適当か否か判断される。この判断の結果、照度センサ１２２の出力に基づいて表示輝度を調整することが適当であれば当該表示輝度の調整を行うが、不適であると判断されれば当該表示輝度の調整を行わない。その結果、デジタルフォトフレーム１００は人物の有無に関わらず輝度を適切に調整して見やすい表示を行うことができる。
【００４７】
なお本実施形態ではデジタルフォトフレーム１００と人物との距離と、デジタルフォトフレーム１００と人物との位置関係と、に基づいて表示部１０８の輝度調整を行うか否かを判定する構成としているが、何れか一方に基づいて判定するようにしてもよい。
【００４８】
［第２の実施形態］
本発明の第２の実施形態について説明する。ここでは第１の実施形態との相違点について説明し、同一の部分については同一の符号を付してその説明を省略する。本実施形態では人感センサ１２４を利用した人検出動作に基づいてバックライト輝度を制御する。
【００４９】
人感センサ１２４には焦電型赤外線センサを用いることができる。焦電型赤外線センサは人の動きを検知して出力電圧を時間変化させる。この時間変化の度合いは温度時間変化の量に依存しており、大きく人が動いたとき程出力電圧の時間変化は大きい。近距離であれば小さな動きでも出力電圧の時間変化が起きる。従って大きな電圧時間変化があるときは人の動きがあり、その後小さな電圧時間変化が検出され続けた場合には人が近くに居続けていると判断することができる。逆に大きな電圧時間変化が検出された後、一定期間電圧時間変化が検出されない場合には人が移動していなくなったと判断できる。このような焦電型赤外線センサを用いた人感センサ１２４を用いて、第１の実施形態の撮像部１１４を用いた場合と同様に人物の位置に応じてバックライトの輝度を調整することができる。
【００５０】
このように、例えば人感センサ１２４は、表示部に対して表示部を観察する側に存在する物体の移動量を表す移動信号を制御部に出力する赤外線センサとして機能する。
【００５１】
本実施形態に係る動作を図４に示すフローチャートを参照して説明する。  
ステップＳ２０１において、メインＣＰＵ１０２は人感センサ１２４から出力されてサブＣＰＵ１１６でデジタル変換されたデジタル値であるセンサ値を取得する。  
ステップＳ２０２において、メインＣＰＵ１０２はステップＳ２０１で取得したセンサ値を履歴として保存する。  
ステップＳ２０３において、メインＣＰＵ１０２はセンサ値に対してローパスフィルタリング等のフィルタリング処理を行う。
【００５２】
ステップＳ２０４において、メインＣＰＵ１０２はステップＳ２０２で保存された履歴を参照して、フィルタリング処理したセンサ値の時間変化量が第３の閾値よりも大きいか否かを判定する。ここで第３の閾値は人物の大きな移動がある場合には、その値よりも大きくなるような値である。センサ値の時間変化量が第３の閾値よりも大きければ、ステップＳ２０５においてウェイトタイマーを初期化する。その後メインＣＰＵ１０２は処理を終了させる。一方、センサ値の時間変化量が第３の閾値以下であれば、処理をステップＳ２０６に移す。
【００５３】
ステップＳ２０６において、メインＣＰＵ１０２はウェイトタイマーが終了値となっているか否かを判定する。終了値でなければメインＣＰＵ１０２はステップＳ２０７に処理を移す。
【００５４】
ステップＳ２０７において、メインＣＰＵ１０２はセンサ値の時間変化量が第４の閾値よりも大きいか否かを判定する。ここで第４の閾値は第３の閾値よりも小さい値であり、デジタルフォトフレーム１００の近くで人物が静止しているときのセンサ値の時間変化量が、その値よりも大きくなるような値である。即ちセンサ値の時間変化量が第４の閾値よりも大きいときに人物はデジタルフォトフレーム１００の近くにおり、センサ値の時間変化量が第４の閾値以下であるときに人物はデジタルフォトフレーム１００の近くにいないと判断できる。センサ値の時間変化量が第４の閾値よりも大きければ、処理をステップＳ２０５に移してウェイトタイマーを初期化する。一方、センサ値の時間変化が第４の閾値以下であれば、メインＣＰＵ１０２は処理をステップＳ２０８に移す。
【００５５】
ステップＳ２０８において、メインＣＰＵ１０２はウェイトタイマーのカウントアップを開始させる。すでにウェイトタイマーのカウントアップが行われているときは、そのカウントアップを継続させる。その後メインＣＰＵ１０２は処理を終了させる。
【００５６】
ステップＳ２０６の判定においてウェイトタイマーが終了値であれば、メインＣＰＵ１０２は処理をステップＳ２０９に移す。  
ステップＳ２０９において、メインＣＰＵ１０２はウェイトタイマーを停止させる。
【００５７】
ステップＳ２１０において、メインＣＰＵ１０２は上述のようにして照度センサ１２２から出力されてサブＣＰＵ１１６によってデジタル変換された環境照度に係る情報を取得する。  
なお照度センサ１２２の測定値が真っ暗に近い一定の値よりも暗い値を示した場合には、部屋が消灯された場合に実施する動作、例えば表示部１０８の表示を消す動作を行うようにしてもよい。これは人の影がかかる程度では真っ暗な状況にはなり難いため、照度センサ１２２の測定値が一定の値よりも暗い値を示した場合には室内の電灯が消されたとみなせるからである。
【００５８】
ステップＳ２１１において、メインＣＰＵ１０２はステップＳ２１０において取得した環境照度に基づいてバックライトのＰＷＭ値を算出する。  
ステップＳ２１２において、メインＣＰＵ１０２はステップＳ２１１において算出したＰＷＭ値に基づいて表示部１０８のバックライトの輝度を変更する。その後メインＣＰＵ１０２は処理を終了する。
【００５９】
メインＣＰＵ１０２は上記のステップＳ２０１乃至ステップＳ２１２の処理を繰り返し連続的に実施する。本実施形態によれば、人物が大きく移動しているときはステップＳ２０４の判定でステップＳ２０５へと処理が進んでウェイトタイマーが初期化される。この間ステップＳ２１０乃至ステップＳ２１２におけるバックライトの制御は実行されない。また人物が大きく移動していないがデジタルフォトフレーム１００の近くにいるときには、ステップＳ２０７の判定でステップＳ２０５へと処理が進んでウェイトタイマーが初期化される。この間ステップＳ２１０乃至ステップＳ２１２におけるバックライトの制御は実行されない。
【００６０】
一方、人物の大きな動きが検出されず人物がデジタルフォトフレーム１００の近くにいない状態が続くと、ステップＳ２０８においてタイマーがカウントアップされ、やがてタイマーの値がステップＳ２０６におけるタイマーの終了値となる。この場合次にステップＳ２０４において人物の移動が検知されるまでの間、ステップＳ２１０乃至ステップＳ２１２においてバックライト輝度の制御が行われる。
【００６１】
本実施形態によっても、人が近くにいると判断されるときは第１の実施形態の場合と同様に、照度センサ１２２の検出値をバックライトのＰＷＭ制御に適用することを停止する。一方で、人が近くにいないと判断された場合には照度センサ１２２の検出値をバックライトのＰＷＭ制御に適用する。以上のようにしてデジタルフォトフレーム１００において、液晶ディスプレイのバックライト輝度制御を誤動作の少ないように実現できる。
【００６２】
なお第１の実施形態においても第２の実施形態においても、デジタルフォトフレーム１００は撮像部１１４及び人感センサ１２４の両方備える構成として説明した。しかしながら、第１の実施形態ではデジタルフォトフレーム１００は人感センサ１２４を備えていなくてもよいし、第２の実施形態ではデジタルフォトフレーム１００は撮像部１１４を備えていなくてもよい。また人感センサ１２４は焦電型赤外線センサに限らず、その他の赤外線センサや超音波センサ等を用いてもよい。
【００６３】
これまではデジタルフォトフレームを例に挙げて説明したが、第１の実施形態及び第２の実施形態はデジタルフォトフレームに限らず、テレビや時計やその他の機器等の画像を表示する装置であれば、どのような表示装置にも用いることができる。デジタルフォトフレーム等の小型の表示装置においては人が覗き込むように観察する、即ち当該表示装置が観察者の影に入ることが多いために特に効果がある。
【００６４】
第１の実施形態及び第２の実施形態の説明では、人物が例えばデジタルフォトフレーム１００の近くにいるときは表示部１０８の表示輝度の調整を行わないとした。しかしながら、表示輝度の調整を行わないとしなくとも、例えば照度センサ１２２の出力値を人物の影の分だけ補正して、その補正値を用いて表示輝度の調整を行うように構成してもよい。
【００６５】
なお本発明は上記実施形態そのままに限定されるものではなく、実施段階ではその要旨を逸脱しない範囲で構成要素を変形して具体化できる。また上記実施形態に開示されている複数の構成要素の適宜な組み合わせにより種々の発明を形成できる。例えば実施形態に示される全構成要素から幾つかの構成要素を削除しても発明が解決しようとする課題の欄で述べられた課題が解決でき、かつ発明の効果が得られる場合には、この構成要素が削除された構成も発明として抽出され得る。さらに異なる実施形態にわたる構成要素を適宜組み合わせてもよい。
【００６６】
以下に本願出願の当初の特許請求の範囲に記載された発明を付記する。
【００６７】
［１］
画像を表示する表示部と、
前記表示部の表示輝度を調整する制御部と、
前記表示部の周囲の明るさである照度値を前記制御部に出力する照度センサと、
前記表示部に対して該表示部を観察する側を撮像した画像を前記制御部に出力する撮像部と、
を具備する表示装置であって、
前記制御部は、
前記画像に基づいて該画像に写る被写体の前記表示部に対する位置を特定し、
前記位置に基づいて前記照度センサが前記被写体の影に入るか否かを判断し、
前記判断の結果に応じて前記照度値に基づいて前記表示輝度を調整する、
ことを特徴とする表示装置。
【００６８】
［２］
前記制御部は、
前記画像に基づいて前記表示部と前記被写体との距離及び／又は前記表示部と前記被写体との重力方向に対する位置関係を求め、
前記距離及び／又は前記位置関係に基づいて、前記照度センサが前記被写体の影に入るか否かを判断する、
ことを特徴とする［１］に記載の表示装置。
【００６９】
［３］
前記制御部は、前記照度センサが前記被写体の影に入ると判断した場合に、前記照度値を用いた前記表示部の前記表示輝度の調整を行わない、
ことを特徴とする［１］に記載の表示装置。
【００７０】
［４］
前記制御部は、前記照度センサが前記被写体の影に入ると判断した場合に、前記照度値を前記影の分だけ補正した補正照度値を求め、前記補正照度値を用いて前記表示部の前記表示輝度を調整する、
ことを特徴とする［１］に記載の表示装置。
【００７１】
［５］
前記被写体は人物であることを特徴とする［１］乃至［４］の何れかに記載の表示装置。
【００７２】
［６］
前記制御部は、前記画像に基づいて前記人物の顔を検出し、前記画像に対する前記顔の比率が第１の閾値よりも大きい場合に前記照度センサに対する前記顔の位置を特定する、
ことを特徴とする［５］に記載の表示装置。
【００７３】
［７］
前記制御部は、前記第１の閾値よりも大きい第２の閾値に対して、前記顔の前記比率が前記第１の閾値よりも大きく且つ前記第２の閾値よりも大きいときに前記照度センサが前記人物の影に入ると判断する、
ことを特徴とする［６］に記載の表示装置。
【００７４】
［８］
前記制御部は、前記第１の閾値よりも大きい第２の閾値に対して、前記顔の前記比率が前記第１の閾値よりも大きく且つ前記第２の閾値以下のときに、前記顔の位置が前記画像の一定の位置よりも上側であれば前記照度測定部が前記影に入ると判断する、
ことを特徴とする［６］に記載の表示装置。
【００７５】
［９］
画像を表示する表示部と、
前記表示部の表示輝度を調整する制御部と、
前記表示部の周囲の明るさである照度値を前記制御部に出力する照度センサと、
前記表示部に対して該表示部を観察する側に存在する物体の移動量を表す移動信号を前記制御部に出力する焦電型赤外線センサと、
を具備する表示装置であって、
前記制御部は、
前記移動信号に基づいて前記物体の前記表示部に対する位置を特定し、
前記位置に基づいて前記照度センサが前記物体の影に入るか否かを判断し、
前記判断の結果に応じて前記照度値に基づいて前記表示輝度を調整する、
ことを特徴とする表示装置。
【００７６】
［１０］
前記制御部は、
前記移動信号に基づいて、前記表示部と前記物体との位置関係が所定の値よりも大きく変化しているか否かを表す変化情報と、前記物体と前記表示部との距離が所定の距離よりも近いか否かを表す距離情報とを求め、
前記変化情報と前記距離情報とに基づいて前記照度センサが前記物体の影に入るか否かを判断する、
ことを特徴とする［９］に記載の表示装置。
【００７７】
［１１］
前記制御部は、前記照度センサが前記物体の影に入ると判断した場合に、前記表示輝度を変更させないことを特徴とする［９］に記載の表示装置。
【００７８】
［１２］
前記制御部は、前記照度センサが前記物体の影に入ると判断した場合に、前記照度値を前記影の分だけ補正した補正照度値を用いて前記表示輝度を調整することを特徴とする［９］に記載の表示装置。
【００７９】
［１３］
前記物体は人物であることを特徴とする［９］乃至［１２］の何れかに記載の表示装置。
【００８０】
［１４］
前記赤外線センサは前記人物の温度に依存する電圧を出力し、前記制御部は前記電圧の時間変化量に基づいて前記照度測定部に対する前記人物の位置を特定する、
ことを特徴とする［１３］に記載の表示装置。
【００８１】
［１５］
前記制御部は、前記電圧の前記時間変化量が第３の閾値よりも大きい場合に前記照度センサが前記人物の影に入ると判断する、
ことを特徴とする［１４］に記載の表示装置。
【００８２】
［１６］
前記制御部は、前記電圧の前記時間変化量が第３の閾値以下の場合に、前記第３の閾値よりも小さい第４の閾値に対して、前記電圧の前記時間変化量が前記第４の閾値よりも大きければ、前記照度センサが前記人物の影に入ると判断する、
ことを特徴とする［１４］に記載の表示装置。
【符号の説明】
【００８３】
１００…デジタルフォトフレーム、１０２…メインＣＰＵ、１０４…ＲＡＭ、１０６…ＲＯＭ、１０８…表示部、１１２…無線ＬＡＮデバイス、１１４…撮像部、１１６…サブＣＰＵ、１１８…入力部、１２０…ＬＥＤ、１２２…照度センサ、１２４…人感センサ、１２６…縦横センサ、１２８…電源、１３０…バス。
【図１】
0005895426.tif 000002
【図２】
0005895426.tif 000003
【図３】
0005895426.tif 000004
【図４】
0005895426.tif 000005